(57)【特許請求の範囲】
【請求項１】
携帯情報端末と無線通信可能な画像形成装置であって、
画像形成処理を行なうための少なくとも定着ヒータを含む第１ユニットと、
前記第１ユニットを制御するための機構および携帯情報端末と通信するための無線通信手段を含む第２ユニットと、
前記第１ユニットに対して電源供給する主電源と、
前記第２ユニットに対して電源供給する副電源とを含み、
前記無線通信手段は、所定範囲内にある携帯情報端末とダイレクトに通信を行ない、定期的に照会コマンドを送信し、
前記照会コマンドに応じて携帯情報端末から送信され、受信したパスワードと、予め登録されている、前記携帯情報端末であることを示すパスワードとを照合する照合手段と、
前記照合手段における照合結果が一致したときに前記主電源の電源投入を行ない、不一致のときに前記主電源の電源遮断を行なう主電源制御手段とをさらに備えた、画像形成装置。
【請求項２】
前記主電源制御手段は、前記所定範囲内から、所定時間、パスワードの受信が得られないときに、前記主電源の電源遮断を行なうことを特徴とする、請求項１に記載の画像形成装置。
【請求項３】
前記照会時のパスワードの受信数に応じて、前記画像形成装置の給電状態を制御する手段を備えた、請求項１または２に記載の画像形成装置。
【請求項４】
携帯情報端末と無線通信可能な画像形成装置であって、
画像形成処理を行なうための少なくとも定着ヒータを含む第１ユニットと、
前記第１ユニットを制御するための機構および携帯情報端末と通信するための無線通信手段を含む第２ユニットと、
前記第１ユニットに対して電源供給する主電源と、
前記第２ユニットに対して電源供給する副電源とを含み、
前記無線通信手段は、所定範囲内にある携帯情報端末とダイレクトに通信を行ない、前記携帯情報端末から定期的に照会コマンドを受信し、
前記照会コマンドに応じて当該画像形成装置であることを示すパスワードを送信する送信手段と、
前記パスワードを用いて照合処理が行なわれた前記携帯情報端末から制御信号を受信する受信手段と、
前記制御信号に従って前記主電源の電源投入を行なう主電源制御手段とをさらに備えた、画像形成装置。
【請求項５】
携帯情報端末と無線通信可能な画像形成装置の制御方法であって、
前記画像形成装置は、
画像形成処理を行なうための少なくとも定着ヒータを含む第１ユニットと、
前記第１ユニットを制御するための機構および携帯情報端末と通信するための無線通信手段を含む第２ユニットと、
前記第１ユニットに対して電源供給する主電源と、
前記第２ユニットに対して電源供給する副電源とを備え、
前記無線通信手段を用いて、所定範囲内にある携帯情報端末とダイレクトに通信を行ない、定期的に照会コマンドを送信する、無線通信ステップと、
前記照会コマンドに応じて携帯情報端末から送信され、受信したパスワードと、予め登録されている、前記携帯情報端末であることを示すパスワードとを照合する照合ステップと、
前記照合ステップにおいて照合結果が一致したときに前記主電源の電源投入を行ない、不一致のときに前記主電源の電源遮断を行なう主電源制御ステップとを備えた、画像形成装置の制御方法。
【請求項６】
携帯情報端末と無線通信可能な画像形成装置の制御を、前記画像形成装置に搭載されるコンピュータに実行させるためのプログラムであって、
前記画像形成装置は、
画像形成処理を行なうための少なくとも定着ヒータを含む第１ユニットと、
前記第１ユニットを制御するための機構および携帯情報端末と通信するための無線通信手段を含む第２ユニットと、
前記第１ユニットに対して電源供給する主電源と、
前記第２ユニットに対して電源供給する副電源とを備え、
前記画像形成装置の前記無線通信手段を用いて、所定範囲内にある携帯情報端末とダイレクトに通信を行ない、定期的に照会コマンドを送信する、無線通信ステップと、
前記照会コマンドの照会に応じて携帯情報端末から送信され、受信したパスワードと、予め登録されている、前記携帯情報端末であることを示すパスワードとを照合する照合ステップと、
前記照合ステップにおいて照合結果が一致したときに前記画像形成装置の前記主電源の電源投入を行ない、不一致のときに前記主電源の電源遮断を行なう主電源制御ステップとを前記コンピュータに実行させるためのプログラムを記録した、コンピュータ読取可能な記録媒体。
【発明の詳細な説明】
【０００１】
【発明の属する技術分野】
本発明は、画像形成装置、携帯情報端末、通信システム、画像形成装置の制御方法および携帯情報端末の制御方法に関し、特に、携帯情報端末を自動的に検出し画像形成装置の制御を行なうための画像形成装置、携帯情報端末、通信システム、画像形成装置の制御方法および携帯情報端末の制御方法に関する。
【０００２】
【従来の技術】
特開平9-233563号公報は、固定式情報端末の給電制御を行なうシステムを開示している。このシステムにおいて、ユーザは固定式情報端末を操作せず、携帯情報端末を操作するのみで無線通信装置によるデータの送受信が行なわれ、そのデータにより固定式情報端末の給電制御が行なわれる。
【０００３】
【発明が解決しようとする課題】
ところが、従来の技術ではユーザが操作をしなければ固定式情報端末の給電制御が行なわれないため、固定式情報端末の使い勝手が悪いという問題があった。たとえば固定式情報端末がプリンタであった場合、プリント動作はユーザが携帯情報端末の操作を行なった後、固定式情報端末のウォームアップ後となり、即座にプリント動作が実行されないという問題がある。
【０００４】
そこで、本発明は、このような問題がなく、ユーザにとって使い勝手のよい画像形成装置、携帯情報端末、通信システム、画像形成装置の制御方法および携帯情報端末の制御方法を提供することを目的とする。
【０００５】
【課題を解決するための手段】
上記目的を達成するために、本発明のある局面に従うと、画像形成装置は携帯情報端末と無線通信可能な画像形成装置であって、画像形成処理を行なうための少なくとも定着ヒータを含む第１ユニットと、第１ユニットを制御するための機構および携帯情報端末と通信するための無線通信手段を含む第２ユニットと、第１ユニットに対して電源供給する主電源と、第２ユニットに対して電源供給する副電源とを含み、無線通信手段は、所定範囲内にある携帯情報端末とダイレクトに通信を行い、定期的に照会コマンドを送信し、照会コマンドに応じて携帯情報端末から送信され、受信したパスワードと、予め登録されている携帯情報端末であることを示すパスワードとを照合する照合手段と、照合手段における照合結果が一致したときに主電源の電源投入を行ない、不一致のときに主電源の電源遮断を行なう主電源制御手段とをさらに備える。
【０００６】
画像形成装置の主電源制御手段は、所定範囲内から、所定時間、パスワードの受信が得られないときに、主電源の電源遮断を行なうことが望ましい。
【０００８】
またさらに画像形成装置は、照会時のパスワードの受信数に応じて、画像形成装置の給電状態を制御する手段を備えていることが望ましい。
本発明の他の局面に従うと、画像形成装置は携帯情報端末と無線通信可能な画像形成装置であって、画像形成処理を行なうための少なくとも定着ヒータを含む第１ユニットと、第１ユニットを制御するための機構および携帯情報端末と通信するための無線通信手段を含む第２ユニットと、第１ユニットに対して電源供給する主電源と、第２ユニットに対して電源供給する副電源とを含み、無線通信手段は、所定範囲内にある携帯情報端末とダイレクトに通信を行ない、携帯情報端末から定期的に照会コマンドを受信し、照会コマンドに応じて当該画像形成装置であることを示すパスワードを送信する送信手段と、パスワードを用いて照合処理が行なわれた携帯情報端末から制御信号を受信する受信手段と、制御信号に従って主電源の電源投入を行なう主電源制御手段とをさらに備える。
【０００９】
本発明のさらに他の局面に従うと、携帯情報端末は、画像形成装置と無線通信可能な携帯情報端末であって、所定範囲内にある画像形成装置とダイレクトに通信を行い、定期的に照会コマンドを送信する無線通信手段と、照会コマンドに応じて画像形成装置から送信され、受信した、当該画像形成装置であることを示すパスワードと、予め登録されている画像形成装置であることを示すパスワードとを照合する照合手段と、照合手段における照合結果が一致したときに画像形成装置の主電源の電源投入を行なうよう制御命令を発行し、不一致のときに上記制御命令を発行しない制御命令発行手段とを備える。
【００１０】
さらに携帯情報端末の制御命令発行手段は、画像形成装置の制御内容を指定して制御命令発行を行なうことが望ましい。
【００１１】
また本発明のさらに他の局面に従うと、通信システムは、上述のいずれかに記載の画像形成装置と、上述のいずれかに記載の携帯情報端末より構成される。
【００１２】
また本発明のさらに他の局面に従うと、画像形成装置の制御方法は携帯情報端末と無線通信可能な画像形成装置の制御方法であって、画像形成装置は、画像形成処理を行なうための少なくとも定着ヒータを含む第１ユニットと、第１ユニットを制御するための機構および携帯情報端末と通信するための無線通信手段を含む第２ユニットと、第１ユニットに対して電源供給する主電源と、第２ユニットに対して電源供給する副電源とを備え、無線通信手段を用いて、所定範囲内にある携帯情報端末とダイレクトに通信を行ない、定期的に照会コマンドを送信する、無線通信ステップと、照会コマンドの照会に応じて携帯情報端末から送信され、受信したパスワードと、予め登録されている携帯情報端末であることを示すパスワードとを照合する照合ステップと、照合ステップにおいて照合結果が一致したときに主電源の電源投入を行ない、不一致のときに主電源の電源遮断を行なう主電源制御ステップとを備える。
【００１３】
本発明のさらに他の局面に従うと、画像形成装置と無線通信可能な携帯情報端末の制御方法は、所定範囲内にある画像形成装置とダイレクトに通信を行い、定期的に照会コマンドを送信する無線通信ステップと、照会コマンドに応じて画像形成装置から送信され、受信した、当該画像形成装置であることを示すパスワードと、予め登録されている画像形成装置であることを示すパスワードとを照合する照合ステップと、照合ステップにおいて照合結果が一致したときに画像形成装置の主電源の電源投入を行なうよう制御命令を発行し、不一致のときに上記制御命令を発行しない制御命令発行ステップとを備える。
【００１４】
本発明のさらに他の局面に従うと、コンピュータ読取可能な記録媒体は、携帯情報端末と無線通信可能な画像形成装置の制御を、画像形成装置に搭載されるコンピュータに実行させるためのプログラムであって、画像形成装置は、画像形成処理を行なうための少なくとも定着ヒータを含む第１ユニットと、第１ユニットを制御するための機構および携帯情報端末と通信するための無線通信手段を含む第２ユニットと、第１ユニットに対して電源供給する主電源と、第２ユニットに対して電源供給する副電源とを備え、画像形成装置の無線通信手段を用いて、所定範囲内にある携帯情報端末とダイレクトに通信を行ない、定期的に照会コマンドを送信する、無線通信ステップと、照会コマンドの照会に応じて携帯情報端末から送信され、受信したパスワードと、予め登録されている携帯情報端末であることを示すパスワードとを照合する照合ステップと、照合ステップにおいて照合結果が一致したときに画像形成装置の主電源の電源投入を行ない、不一致のときに主電源の電源遮断を行なう主電源制御ステップとをコンピュータに実行させるためのプログラムを記録する。
本発明のさらに他の局面に従うと、コンピュータ読取可能な記録媒体は、所定範囲内にある画像形成装置とダイレクトに通信を行い、定期的に照会コマンドを送信する無線通信ステップと、照会コマンドに応じて画像形成装置から送信され、受信した、当該画像形成装置であることを示すパスワードと、予め登録されている、画像形成装置であることを示すパスワードとを照合する照合ステップと、照合ステップにおいて照合結果が一致したときに画像形成装置の主電源の電源投入を行なうよう制御命令を発行し、不一致のときに制御命令を発行しない制御命令発行ステップとをコンピュータに実行させるためのプログラムを記録する。
【００１５】
【発明の実施の形態】
[第１の実施の形態]
図１は、本発明の第１の実施の形態における通信システムのブロック図である。通信システムは、固定式情報端末１および携帯情報端末２で構成されている。固定式情報端末１は、無線通信装置３、給電制御部１１、副電源１２、主電源１３およびメインスイッチ１４から構成されている。携帯情報端末２は、無線通信装置４、端末制御回路５、電池６および操作／表示部７から構成されている。固定式情報端末１および携帯情報端末２は、それぞれの無線通信装置３，４により定期的かつダイレクトにデータ交換を行なうことができる。
【００１６】
図２は、図固定式情報端末１中の給電制御部１１のブロック図である。給電制御部１１は、給電制御の管理を行なう給電制御管理部２１、パスワード記憶部２２および給電制御命令発行部２３から構成される。
【００１７】
図３は、固定式情報端末１（ここでは複写機）の断面正面図である。
固定式情報端末１は、原稿を読取って画像信号に変換する走査系１０、走査系から送られる画像信号を処理する画像信号処理装置２０、画像信号処置装置２０から入力される画像データを記憶する画像記憶部３０、画像記憶部３０から入力される画像データに基づいて半導体レーザ６１を駆動する印字処理部４０、半導体レーザ６１からのレーザ光を感光体ドラム６４上に導く光学系６０、露光により形成された潜像を現像し用紙上に転写しかつ定着して画像を形成する作像系６３、原稿を搬送し必要に応じて表裏の反転を行なう原稿搬送部５００および用紙を再度転写位置に供給するための再給紙部６００から構成されている。さらに固定式情報端末１は、ユーザが動作モードの設定やコピー開始の指令などの入力および設定状態などの情報出力を行なうための操作パネル３００を備えている。
【００１８】
この固定式情報端末１では、ユーザが原稿搬送部５００に原稿をセットして操作パネル３００からコピー開始を指令すると、次のようにして原稿の画像コピーが行なわれる。
【００１９】
まず原稿搬送部５００にセットされた原稿の１枚目が走査系１０のガラス板上に搬送され、そこで走査系１０によりその原稿の画像データが読取られる。するとこの読取りにより得られた画像信号は画像信号処理部２０に送られ、画像データが作成される。この画像データは画像記憶部３０に一旦格納される。そして印字処理部４０がこの画像データに基づき光学系６０の半導体レーザ６１を駆動してレーザ光を発生させる。このとき光学系６０ではポリゴンミラー６５が回転しており、レーザ光は感光体ドラム６４上に走査されて照射される。このとき感光体ドラム６４も回転しており、その表面の感光層には露光により潜像が形成される。その潜像は感光体ドラム６４の回転とともに現像を受けてトナー像が形成され、転写位置に至る。これと同期して下方の給紙カセット８０から用紙が供給されており感光体ドラム６４上のトナー像が用紙に転写される。そして用紙上にトナー像が定着されて排紙トレー６２１上に排紙される。
【００２０】
次に図１〜３を用いて固定式情報端末１の給電制御について説明する。
固定式情報端末１は、給電制御部１１および無線通信装置３などの第２の負荷(プリンタの場合ではネットワークインターフェースカード、プリンタコントローラおよびエンジンコントローラなど)に電力を供給する副電源１２と複数の主電源１３とを備え、給電制御部１１は、複数の主電源１３から第１の負荷である固定式情報端末１内各ユニット（複写機の場合では走査系１０、画像処理装置２０、画像記憶部３０など。プリンタの場合ではネットワークインターフェースカード、プリンタコントローラおよびエンジンコントローラ以外の、エンジンでの定着ヒータや駆動モータなどの駆動素子）に出力する電源の出力を制御する。給電制御部１１中の給電制御管理部２１は、メインスイッチ１４、無線通信装置３からの情報およびユーザの使用状況に応じて、給電制御命令発行部２３に端末内各ユニットへの給電の切替え制御命令を発行させ、端末状況にあわせた省電力制御を可能にする。
【００２１】
メインスイッチ１４がオンの場合、給電制御部１１はすべてのユニットに電源が供給されるよう制御を行ない、その後端末状態に応じて給電のオフ制御を行なう。メインスイッチ１４がオフの場合は、副電源１２と接続する給電制御部１１および無線通信装置３のみが給電され、無線通信装置３の情報に応じた制御が行なわれる。
【００２２】
無線通信装置３は一定間隔で照会コマンドを発行し、検知エリア内(送信範囲8m程度の数GHz程度の無線通信を想定)の携帯情報端末２のセンシングを行う。携帯情報端末２は照会コマンドを受けると携帯情報端末２を示すデバイスパスワードと制御情報を示すユーザーパスワードとをダイレクトに返信する。給電制御管理部２１はこれらのパスワードをパスワード記憶部２２に記憶されているパスワードと照合して、照合結果が一致すれば、給電制御命令発行部２３から制御情報に応じた給電の制御を行なわせる。
【００２３】
以下に給電制御部１１の詳細制御について、図１〜３とフローチャートを用いて説明する。
【００２４】
図４は給電制御部１１における制御の流れを示すフローチャートであり、所定間隔でこのフローチャートに示される処理が繰返される。
【００２５】
まず給電制御部１１は無線通信装置３から照会コマンドを発行し(S41)、所定時間内にデバイスパスワードが返信されるのを待つ(S42)。固定式情報端末１の検知エリア内に携帯情報端末２が存在すれば、存在する携帯情報端末２の数に応じたデバイスパスワード(装置デバイスのグループおよびクラウスによって設定される)の返信がある。
【００２６】
デバイスパスワードを受信すると無線通信確立となり、給電制御管理部２１において、パスワード記憶部２２に記憶されている、携帯電話、ＰＤＡ(Personal Digital Assistants)、ハンドヘルドＰＣ、デジタルカメラなどの複数のパスワードと受信したデバイスパスワードとを照合し(S43)、受信したパスワードが携帯情報端末２のものであれば給電制御命令発行部２３から給電制御命令が発行され、主電源１３がオンされる(S44)。
【００２７】
これによって携帯情報端末２を持つユーザが、例えばプリント指示をする時には、すでに固定式情報端末１は起動しているため、ユーザはウォームアップ時間を待つことなく(または短い待ち時間で)即座にプリント動作を行なうことが可能となる。
【００２８】
デバイスパスワードの受信が所定時間内に得られなかった場合(S42においてNo)、または受信したすべてのデバイスパスワードの中に携帯情報端末２を示すデバイスパスワードが含まれていなかった場合(S43においてNo)は、主電源１３の給電が遮断される(S45)。
【００２９】
これによって固定式情報端末１は、検知エリア内に携帯情報端末２をもつユーザが存在しない場合には自動的に省電力状態に移行し、無駄な電力消費をなくすことができる。
【００３０】
なお、パスワードの受信は、照会コマンド照会時に行なってもよいし、無線通信確立時に行なってもよい。
【００３１】
[第２の実施の形態]
次に、本発明の第２の実施の形態における通信システムについて説明する。第２の実施の形態における通信システムの構成は、第１の実施の形態における通信システムの構成（図１〜３）と同じであるためここでの説明を繰返さない。第２の実施の形態では図４の処理にかえて、図５の処理が行なわれる。
【００３２】
図５に給電制御部１１における制御の流れを表すフローチャートを示す。第１の実施の形態と同様に、所定間隔でこのフローチャートで示される処理が繰返される。
【００３３】
まず給電制御部１１は無線通信装置３から定期的に照会コマンドを発行し(S51)、所定時間内にデバイスパスワードが返信されるのを待つ(S52)。ここで固定式情報端末１の検知エリア内に携帯情報端末２が存在すればダイレクトにデバイスパスワードの返信がある。
【００３４】
デバイスパスワード受信後、給電制御部１１は、携帯情報端末２からの、給電指示情報と指示対象機器コードを含むユーザーパスワードの返信を待つ(S53)。所定時間内にユーザーパスワードの受信があれば、給電制御管理部２１において、パスワード記憶部２２に記憶されているパスワードと受信したユーザーパスワードとを照合して、ユーザーパスワード内の機器コードを判別する(S54)。機器コードが固定式情報端末１のものである場合、給電制御命令発行部２３より全ての電源系をオンする命令が発行され、固定式情報端末１を立上げる(S60)。これにより、ユーザは、携帯情報端末２にあらかじめ給電制御対象機種を入力しておくことで、複数の固定式情報端末が存在する場合に、特定の固定式情報端末のみの給電制御を行なうことが可能となる。
【００３５】
デバイスパスワード受信後にユーザーパスワードの受信が無い場合(S53で受信なし)、あるいはユーザーパスワードを受信した場合でも機器コードが固定式情報端末１のものでない場合(S54で他機器)は、給電制御命令発行部２３からデバイスパスワードの受信数に応じて給電制御を切替える命令が発行される(S55)。
【００３６】
デバイスパスワードの受信数に応じた給電制御とは、固定式情報端末１の検知エリア内に存在する携帯情報端末２の数に応じて給電制御を行なうことであり、図５中のn0を5、n1を10とすると、受信数(検知された携帯情報端末２の数)が10以上(n1以上)であれば(S56)、給電制御部１１は全ての電源系をオン(S57)し固定式情報端末１を立上げる。受信数(検知された携帯情報端末２の数)が5〜9(n0以上n1未満)の場合（S55,S56）は、給電制御部１１は一部の電源系のみ給電を行ない(S58)、固定式情報端末１を節電モードで立上げる。上述の制御方法によって、給電制御部１１は、固定式情報端末１の検知エリアに、固定式情報端末１に対する起動設定がされている携帯情報端末２が存在していない場合でも、固定式情報端末１に対する起動設定がされていない携帯情報端末２の数に応じて給電制御を切換えることができる。携帯情報端末２をもつユーザが多く存在する場合には固定式情報端末１を使用する頻度も高くなるため、上述の制御を行なうことにより、省エネとユーザの利便性とを両立させることが可能となる。
【００３７】
さらに、受信数が0〜4(n0以下)の場合(S55)、給電制御部１１はすべての電源出力をオフする(S59)。同様にデバイスパスワードの確認時にデバイスパスワードの受信がない場合(S52で受信なし)も、給電制御部１１はすべての電源出力をオフする(S61)。このようにすべての電源出力をオフにするときは、固定式情報端末１を制御対象としてユーザーパスワード送信設定しているユーザがいない場合、または、携帯情報端末２を持つユーザが4人以下(n0以下)の場合、すなわち固定式情報端末１の使用頻度の最も低い場合である。このとき固定式情報端末１は副電源１２により給電制御部１１と無線通信装置３のみとに給電する低消費電力の状態となる。
【００３８】
前述したように、図５のフローチャートで示される上記の処理が所定間隔で繰返し行なわれるため、給電制御部１１は、携帯情報端末２を持つユーザの状態変化に応じて固定式情報端末１の給電状態を切換えて制御を行なう。
【００３９】
[第３の実施の形態]
第１の実施の形態あるいは第２の実施の形態の場合、固定式情報端末１から照会コマンドを送信して検知エリア内の携帯情報端末２を検知していたが、第３の実施の形態においては、携帯情報端末２から照会コマンドを送信して固定式情報端末１を検知を行なう。第３の実施における通信システムの構成の概略は、第１の実施の形態あるいは第２の実施の形態における通信システムの構成（図１〜３）と同じであるため、ここでは異なる部分のみ説明する。
【００４０】
図６は、第３の実施の形態における、携帯情報端末２中の端末制御回路５のブロック図である。端末制御回路５は、携帯情報端末２の制御の管理を行なう端末制御管理部３１およびパスワード記憶部３２から構成される。
【００４１】
図７は端末制御回路５における制御の流れを示すフローチャートであり、所定間隔でこのフローチャートで示された処理が繰返される。
【００４２】
まず端末制御管理部３１は無線通信装置４から定期的に照会コマンドを発行し(S71)、所定時間内に固定式情報端末１からデバイスパスワードが返信されるのを待つ(S72)。ここで、携帯情報端末２の検知エリア内に固定式情報端末１が存在すればダイレクトにデバイスパスワードの返信がある。デバイスパスワードを受信すると、端末制御管理部３１において、パスワード記憶部３２に記憶されている、イメージスキャナ、パーソナルコンピュータなどの複数のパスワードと受信したパスワードとを照合し(S73)、受信したパスワードが固定式情報端末１のものであれば無線通信装置４から制御情報を示すユーザーパスワードを送信する(S74)。
【００４３】
デバイスパスワードの受信が得られなかった場合(S72においてNo)、または受信したデバイスパスワードが固定式情報端末１のものでなかった場合(S73においてNo)は、無線通信装置４から、固定式情報端末１の主電源１３の給電を命令するユーザーパスワードは発行されない。
【００４４】
上述の制御方法により、第１の実施の形態と同様の効果が得られる。
本発明の第１〜３の実施の形態においては、固定式情報端末１が複写機の場合の実施の形態であったが、固定式情報端末１がプリンタ、ファクシミリ機、パーソナルコンピュータ、複合機などであってもかまわない。また携帯情報端末２は携帯電話、ＰＤＡ(Personal Digital Assistants)、ハンドヘルドＰＣ、デジタルカメラなどであってもかまわない。
【００４５】
また、携帯情報端末２において、電源制御の対象となる固定式情報端末およびその制御情報をユーザが設定できるようにすると、さらにシステムの利便性が増す。
【００４６】
なお、上述の固定式情報端末１と携帯情報端末２の制御方法を実施するためのプログラムを提供することもできる。このようなプログラムは、ＣＤ−ＲＯＭ、ＲＯＭ、ＲＡＭ、フロッピーディスク、メモリカードなどの記録媒体にて記録させることができる。
【００４７】
また、上述の固定式情報端末１と携帯情報端末２の制御方法を実施するための回路素子を提供することもできる。このような回路素子は、ＩＣカードおよびＰＣカードなどで実現できる。
【００４８】
さらに上記第１〜第３の実施の形態における制御方法として、電力消費の大きいものから優先的に遮断するなどの、消費電力に応じた制御を行なうことも可能である。
【００４９】
たとえば、定着ヒータ、ランプおよびディスプレーなどのＡＣ系負荷と、コントローラなどのＤＣ系負荷とが別個に電源を持つ場合、負荷の大きいＡＣ系負荷を優先的に電源遮断制御することで、ネットワークでの総消費電力をより減らすことができる。
【００５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の第１の実施の形態における通信システムの構成を示すブロック図である。
【図２】固定式情報端末１の給電制御部１１の構成を示すブロック図である。
【図３】固定式情報端末１(複写機)の断面正面図である。
【図４】第１の実施の形態における固定式情報端末１の給電制御の流れを示すフローチャートである。
【図５】第２の実施の形態における固定式情報端末１の給電制御の流れを示すフローチャートである。
【図６】第３の実施の形態における携帯情報端末２の端末制御回路の構成を示すブロック図である。
【図７】第３の実施の形態における携帯情報端末２の給電制御の流れを示すフローチャートである。
【符号の説明】
１  固定式情報端末、２  携帯情報端末、３，４  無線通信装置、５  端末制御回路、６  電池、７  操作／表示部、１１  給電制御部、１２  副電源、１３主電源、１４  メインスイッチ、２１  給電制御管理部、２２  パスワード記憶部、２３  給電制御管理部、３１  端末制御管理部、３２  パスワード記憶部。
【図１】
0004592176.tif 000002
【図２】
0004592176.tif 000003
【図３】
0004592176.tif 000004
【図４】
0004592176.tif 000005
【図５】
0004592176.tif 000006
【図６】
0004592176.tif 000007
【図７】
0004592176.tif 000008